(57)【要約】【課題】ブルーレイディスクをはじめとする大容量記録媒体の記録内容の確認を容易にする。【解決手段】ＱＲコード印刷装置４に記録媒体３挿入し、記録内容の見出しをＱＲコード（登録商標）に変換してＱＲコードラベル５に印刷する。内容を確認したいときは、ＱＲコード用のバーコードリーダーでＱＲコードを読み取り内容を表示させる。【効果】記録内容の確認作業が従来の方法に較べて大幅に短い時間で、かつ大幅に少ない消費電力で可能となる。【選択図】図１
2014164534.tif 000002
【特許請求の範囲】
【請求項１】
ブルーレイディスクをはじめとする大容量記録媒体の記録内容を読み取り、記録内容の見出しをＱＲコード（登録商標）に変換して、そのＱＲコードをラベルなどに印刷する印刷装置
【発明の詳細な説明】
【技術分野】
【０００１】
本発明は、ＱＲコード（登録商標）を用いて、ブルーレイディスクをはじめとする大容量記録媒体の記録内容の確認を容易にする印刷装置に関するものである。
【背景技術】
【０００２】
図２に、従来のブルーレイディスクをはじめとする大容量記録媒体の記録内容の確認装置を示す。図の装置は、録画再生装置１と再生用モニター２から構成される。また、この図にはその他に、装置を使用するために必要な(電源ケーブル)(接続コード)(記録媒体挿入口)、および記録媒体３が示されている。
録画再生装置１は、ブルーレイレコーダー等、記録媒体挿入口から挿入された記録媒体の記録内容を読み出し、再生用モニター２に再生映像や文字等の信号を送るものである。
再生用モニター２は、テレビ等、再生装置から送られてきた信号を映像や文字等に変換して表示する装置である。図にはモニター部分に記録媒体の内容の見出しが表示されている状態のものを示してある。
記録媒体３は、ブルーレイディスク等、映像の録画データ等を記録してあるものである。記録媒体３の形状および素材は、どんなものでもかまわない。なお図にはブルーレイディスクをイメージした円形で中央に穴が空いている形状のものを示してある。
以上の装置は次のようにして使用する。録画再生装置１および再生用モニター２の電源ケーブルのプラグ部分を壁面等のコンセント部分に接続し録画再生装置１および再生用モニター２に電力を供給する。録画再生装置１の記録媒体挿入口に記録媒体３を挿入する。録画再生装置１が記録媒体３の記録内容を読み取り、再生用モニター２に見出しが表示される。
【０００３】
図３に、記録媒体に記録内容の見出しを直接記載する方法を示す。手書きで見出しを記載するもの、印刷装置を用いて印刷するものの他、記録内容のキャプチャ画像などを印刷するものもある。
【先行技術文献】
【特許文献】
【０００４】
【特許文献１】特許公開２００９−２２４０１０号
【発明の概要】
【発明が解決しようとする課題】
【０００５】
以上のような、従来の記録内容確認方法には、次のような解決すべき課題があった。
すでに発明されているブルーレイディスクなどを含め、今後発明される記録媒体はさらに大容量化かつ小型化されていく傾向にある。その方が持ち運びや整理のためには便利だからである。しかしながら、大容量化・小型化が進めば進むほどその記録内容を再生装置等を使用せずに確認することが困難になる。なぜなら表面に記録内容を記載しようとしても、大容量化が進み記録内容が増えればそれに比例して記載が必要な文字数も増えるが、媒体そのものが小型化されれば文字を記載できすスペースも小さくなり、必然的に記載できる文字数も減るためである。
そのため、通常はその記録媒体を一度再生装置などにセットして内容を再生させなければ何を記録してあるのかがわからない。その結果、複数枚の記録媒体の中からその時に必要としているものがどの媒体に記録されているかを知るためには、いちいち、全ての記録媒体を再生装置などにセットして確認しなければならない。
【０００６】
さらに言えば、このような時間的な損失以外にも、確認をする度に再生装置やモニターを作動させるための電力供給が必要なため、電力エネルギーにも相当量の無駄が生じている。
【０００７】
無論、これまでも課題を解決するために、記録媒体に直接文字や記号、絵、図などを記入できるよう、記録媒体の表面を印字・印刷が可能な状態に加工しておくなど、さまざまな工夫がされてきた。また先行技術文献に示した技術のように内容の断片を直接印刷する技術もある。しかしながら、今後のさらなる大容量化・小型化に対応するには、従来の方法では限界があると言わざるを得ない。
【０００８】
特にブルーレイディスクなどは円形をしているため、図３のように、横書き・縦書きいずれも上下のスペースが余ってしまい、記入できる見出しも多くて２０行程度、文字数にして２００文字程度までである。印刷装置を用いて小さい文字で記入したとしてもこの程度であるのに、手書きで記入しようとすると文字の小ささに限度があるため、記入できる文字数はさらに減る結果となる。ブルーレイディスクは現在でも最長約２４時間分のテレビ番組の録画が可能であり、１番組１５分の場合、合計９６もの番組を記録できるため、その見出しの全てを表面に記載すること自体が困難である。
【課題を解決するための手段】
【０００９】
本発明は、ブルーレイディスクをはじめとする大容量記録媒体の記録内容の見出しをＱＲコードに変換して印刷することを主要な特徴とする。
【発明の効果】
【００１０】
本発明の印刷装置は、大量の文字をＱＲコードに変換することで記載に必要なスペースを大幅に小さくすることができる。ＱＲコードは最大で全角文字約１８００文字を数センチ四方のコードに変換できるため、ブルーレイディスク程度の大きさでも十分に記載できる。また今後、記録媒体のさらなる小型化がなされた場合でも、ＱＲコードが記載できる大きさまでなら、この方法が利用できる。
【００１１】
ＱＲコードは消費されるものではないため、一度記載しておけば、印刷そのものが消えない限り何度でも使用できる。
【００１２】
現在、ＱＲコード用のバーコードリーダーは、カメラ付き携帯電話のほとんどの機種に標準搭載されており、またカメラ付きでない携帯電話の機種もほとんど無いため、携帯電話所持者は、そのほぼ全てがＱＲコード用のバーコードリーダーを所持していると言ってよい。現在の携帯電話の普及率はブルーレイレコーダーの普及率をはるかに上回るため、ブルーレイレコーダーを持つ人がＱＲコード用のバーコードリーダーを持っていないという事態は、まず想定しなくてよい。つまりこの装置があれば、ブルーレイレコーダーの利用者はその効果を全て受けることができると言ってよい。
【００１３】
記録内容を知りたい時は、図４のようにＱＲコード用のバーコードリーダー使用し文字に再変換すれば、何が記録されているかすぐにわかる。従来の方法では、装置を起動→媒体を挿入→記録内容の読み取り→内容を表示、という手順を要するため早くても２〜３分、長いと数分を要する場合がある。それに対して、本発明を用いたＱＲコードによる読み取りは、バーコードリーダーを起動→ＱＲコードを読み取る、という手順だけで済み、早ければ十数秒、長くても１分かからない程度の時間で内容を確認できる。携帯電話は通常は常に起動した状態で使用されているため、携帯電話の起動にかかる時間はほとんどの場合で考えなくてよい。
また、複数の媒体の中から必要としているものを探す場合、従来の方法では、いちいち、記録媒体の取り出し→別の記録媒体を挿入→記録内容の読み取り→内容を表示、という手順を繰り返すため、数個の記録媒体の内容を確認するだけでも相当な時間がかかるが、バーコードリーダーはすぐに次のコードを読み取れるため大幅な時間の短縮になる。
【００１４】
バーコードリーダーは、録画再生装置や再生用モニターを使用するための電力とは較べものにならないほど小さい電力で作動するため、電力エネルギーの使用量も大幅に減る。
【図面の簡単な説明】
【００１５】
【図１】この発明の印刷装置の具体的な使用図を示す。
【図２】従来の内容確認装置の具体図を示す。
【図３】記録媒体に見出しを直接掲載する方法の具体例を示す。
【図４】この発明を用いて作成したＱＲコードの読み取り方法を示す。
【発明を実施するための形態】
【００１６】
ブルーレイディスクをはじめとする大容量記録媒体の記録内容を読み取り、記録内容の見出しをＱＲコードに変換して、そのＱＲコードをラベルなどに印刷する。印刷されたラベルを記録媒体に貼り付ける。ＱＲコードを利用することで、記載に必要なスペースを大幅に小さくした。
【実施例１】
【００１７】
図１に、本発明の装置の具体的な使用図を示す。図の装置は本発明であるＱＲコード印刷装置４から構成される。またこの図にはその他に、装置を使用するために必要な(電源ケーブル)(記録媒体挿入口)(印刷内容表示モニター)(白紙ラベル挿入口) (印刷済みラベル排出口)、および記録媒体３とＱＲコードラベル５が示されている。
ＱＲコードラベル５は表面が紙など印刷可能な素材で裏面が粘着質になっているシール上のものであり、表面には装置内部でインクなどを用いてＱＲコードが印刷される。図に示したものは印刷後に排出されたもので、すでにＱＲコードが印刷されている。
ＱＲコードラベル５は、印刷可能なものであればどんな素材でもかまわない。もちろん裏面が粘着質でなくてもよいのだが、現実の利用方法を考えると裏面が粘着質であった方が用途も広く便利であるため、ここではこのような構造のラベルとして説明する。
以上の装置は次のようにして使用する。電源ケーブルのプラグ部分を壁面等のコンセント部分に接続しＱＲコード印刷装置４に電力を供給する。ＱＲコード印刷装置４の記録媒体挿入口に記録媒体３を挿入する。ＱＲコード印刷装置４が記録媒体３の記録内容を読み取り、印刷内容表示モニターに記録内容の見出しを表示する。白紙ラベル挿入口に白紙のラベルを挿入するとＱＲコード印刷装置４の内部で記録媒体３の記録内容の見出しがＱＲコードに変換され白紙のラベルに印刷され排出される。
排出されたＱＲコードラベル５を裏面の粘着質を利用して記録媒体３に貼り付ける。
【００１８】
図４は、ＱＲコードラベル５を貼り付けた記録媒体３の見出しの読み取り方法を示している。図の装置は、記録媒体３とＱＲコードラベル５（記録媒体３に貼り付けられている）および、バーコードリーダー６から構成される。またこの図にはその他にこの装置を使用するために必要な(ＱＲコード読み取り部)(表示モニター)が示されている。
バーコードリーダー６は、ＱＲコード読み取り部に示されたＱＲコードを内部カメラで読み取り、表示モニターにそのＱＲコードが示す内容を表示する装置である。なおバーコードリーダーは通常は小型でバッテリー電池等を利用して作動するため、図には電源ケーブルは示していない。
以上の装置は次のようにして使用する。バーコードリーダー６のＱＲコード読み取り部にＱＲコードをかざすと、バーコードリーダー６が内部カメラでＱＲコードを読み取り、そのＱＲコードに示された内容を表示モニターに表示する。
【産業上の利用可能性】
【００１９】
この方法は、上記のように単独で使用するものだけではなく、現在販売されている、ブルーレイディスクレコーダーおよびプレーヤーや、パーソナルコンピューターなどに外部接続してその機能を果たす装置としても開発できる。その場合、記録内容を読み取る部分の装置が不要となるため、より簡易な技術で開発ができ価格も安価にできる。また、この機能は必ずしも外部装置である必要はなく、ブルーレイディスクレコーダーおよびプレーヤーや、パーソナルコンピューターなどにこの機能を内蔵してあってもよい。
【００２０】
ラベルなどに印刷するだけでなく、記録媒体に直接印刷する装置であってもよい。ラベルなどに印刷して貼り付ける方が用途は広いが、省資源の観点から考えると、直接印刷する方が有効である。
【００２１】
さらに、文字等を直接入力する機能を搭載し、ＱＲコードだけでなくその入力した文字をＱＲコードと一緒に印刷するものであってもよい。そうすれば、その文字は大見出し等として活用することができ、より便利である。
【符号の説明】
【００２２】
１  録画再生装置
２  再生用モニター
３  記録媒体
４  ＱＲコード印刷装置
５  ＱＲコード
６  バーコードリーダー
【図１】
2014164534.tif 000003
【図２】
2014164534.tif 000004
【図３】
2014164534.tif 000005
【図４】
2014164534.tif 000006